(57)【要約】【課題】  １つのフィードバック制御によって、１つの電源回路から複数の光源にそれぞれ供給される負荷電流を制御でき、かつ電流調整回路における電力損失を低減できる照明装置、及び照明器具を提供する。【解決手段】  照明装置Ａ１では、電源回路１が、複数の負荷回路２１，２２，２３のうち１つの負荷回路を対象負荷回路とする。そして、電源回路１は、対象負荷回路が有する電流調整回路２１ｂまたは２２ｂまたは２３ｂの監視電圧値［Ｖｓ１］または［Ｖｓ２］または［Ｖｓ３］がＦＢ基準電圧値［Ｖｂ１］または［Ｖｂ２］または［Ｖｂ３］に近付くように出力電圧Ｖｏ１をフィードバック制御する。【選択図】図１
2019140002.tif 000002
【特許請求の範囲】
【請求項１】
一対の出力端から直流の出力電圧を出力する電源回路と、
前記一対の出力端の間に接続された複数の負荷回路と、を備え、
前記複数の負荷回路の各々は、前記一対の出力端の間に接続された光源と電流調整回路との直列回路を有して、前記電流調整回路によって前記光源に流れる負荷電流を調整し、
前記複数の負荷回路のうち少なくとも１つの負荷回路は、前記一対の出力端の一方と前記直列回路との間に接続されたインピーダンス素子を有し、
前記電源回路は、前記複数の負荷回路のうち１つの負荷回路を対象負荷回路とし、前記対象負荷回路が有する前記電流調整回路の両端電圧の値が目標値に近付くように前記出力電圧をフィードバック制御する
ことを特徴とする照明装置。
【請求項２】
前記複数の光源は、点灯時の両端電圧の値が互いに異なり、
前記複数の負荷回路のうち、前記複数の光源のうち前記点灯時の両端電圧の値が最も高い光源を有する第１負荷回路を除く第２負荷回路は、前記インピーダンス素子を有する
ことを特徴とする請求項１記載の照明装置。
【請求項３】
前記複数の光源から点灯を指示されている光源を識別する識別回路を備え、
前記電源回路は、前記点灯を指示されている光源のうち前記点灯時の両端電圧の値が最も高い光源を有する負荷回路を前記対象負荷回路とする
ことを特徴とする請求項２記載の照明装置。
【請求項４】
前記複数の光源がそれぞれ消灯している場合、前記電源回路は、前記出力電圧の値を、前記複数の光源の点灯時の両端電圧の値のうちの少なくとも１つよりも高い値に制御する
ことを特徴とする請求項３記載の照明装置。
【請求項５】
前記一対の出力端間に接続された２つ以上の抵抗の直列回路をさらに備え、
前記目標値は、第１目標値であり、
前記電源回路は、前記複数の光源がそれぞれ消灯している場合、前記２つ以上の抵抗によって分圧された前記出力電圧の値が第２目標値に近付くように前記出力電圧を制御する
ことを特徴とする請求項４記載の照明装置。
【請求項６】
前記対象負荷回路は、前記第１負荷回路である
ことを特徴とする請求項２記載の照明装置。
【請求項７】
前記電流調整回路は、前記光源に直列接続されるトランジスタと抵抗との直列回路を有し、前記トランジスタにおける電圧降下が制御されることによって、前記負荷電流を調整する
ことを特徴とする請求項１乃至６のいずれか一項に記載の照明装置。
【請求項８】
前記光源は、固体発光素子を有する
ことを特徴とする請求項１乃至７のいずれか一項に記載の照明装置。
【請求項９】
請求項１乃至８のいずれか一項に記載の照明装置と、
前記照明装置を設ける筐体と、を備える
ことを特徴とする照明器具。
【発明の詳細な説明】
【技術分野】
【０００１】
本発明は、照明装置、および照明器具に関する。
【背景技術】
【０００２】
従来、第１ＬＥＤ（Light Emitting Diode）部、第２ＬＥＤ部、第３ＬＥＤ部を多段接続し、第１ＬＥＤ部、第２ＬＥＤ部、第３ＬＥＤ部の各通電量を制御する従来の照明装置がある（例えば、特許文献１参照）。従来の照明装置では、第２ＬＥＤ部、第３ＬＥＤ部のそれぞれに電流制御トランジスタが並列接続されている。そして、従来の照明装置は、第２ＬＥＤ部、及び第３ＬＥＤ部に流れずに、電流制御トランジスタにバイパスされる電流量を調整することで、各ＬＥＤ部の通電量を制御している。
【先行技術文献】
【特許文献】
【０００３】
【特許文献１】特開２０１２−１３３９７１号公報
【発明の概要】
【発明が解決しようとする課題】
【０００４】
しかしながら、上述の従来の照明装置は、複数の光源（ＬＥＤ部）をそれぞれ流れる負荷電流を制御できる。しかしながら、従来の照明装置では、電流制御トランジスタ（電流調整回路）にバイパスされる電流による電力損失が生じ、電力損失の値が比較的大きかった。
【０００５】
本発明の目的とするところは、１つのフィードバック制御によって、１つの電源回路から複数の光源にそれぞれ供給される負荷電流を制御でき、かつ電流調整回路における電力損失を低減できる照明装置、及び照明器具を提供することにある。
【課題を解決するための手段】
【０００６】
本発明の一態様に係る照明装置は、一対の出力端から直流の出力電圧を出力する電源回路と、前記一対の出力端の間に接続された複数の負荷回路と、を備える。前記複数の負荷回路の各々は、前記一対の出力端の間に接続された光源と電流調整回路との直列回路を有して、前記電流調整回路によって前記光源に流れる負荷電流を調整する。前記複数の負荷回路のうち少なくとも１つの負荷回路は、前記一対の出力端の一方と前記直列回路との間に接続されたインピーダンス素子を有する。前記電源回路は、前記複数の負荷回路のうち１つの負荷回路を対象負荷回路とし、前記対象負荷回路が有する前記電流調整回路の両端電圧の値が目標値に近付くように前記出力電圧をフィードバック制御する。
【０００７】
本発明の一態様に係る照明器具は、上述の照明装置と、前記照明装置を設ける筐体とを備える。
【発明の効果】
【０００８】
以上説明したように、本発明では、１つのフィードバック制御によって、１つの電源回路から複数の光源にそれぞれ供給される負荷電流を制御でき、かつ電流調整回路における電力損失を低減できるという効果がある。
【図面の簡単な説明】
【０００９】
【図１】図１は、本発明の実施形態に係る照明装置を示す回路図である。
【図２】図２は、同上の照明装置の調光信号を説明するためのブロック図である。
【図３】図３は、同上の照明装置の第１変形例を示す回路図である。
【図４】図４は、同上の照明装置の第２変形例を示す回路図である。
【図５】図５は、本発明の実施形態に係る照明器具を示す図である。
【発明を実施するための形態】
【００１０】
以下の実施形態は、一般に、照明装置、および照明器具に関する。より詳細には、以下の実施形態は、複数の光源のそれぞれの負荷電流を制御する照明装置、および照明器具に関する。
【００１１】
以下に実施形態を図面に基づいて説明する。
【００１２】
（照明装置）
図１は、本実施形態の照明装置Ａ１の回路構成を示す。
【００１３】
照明装置Ａ１は、電源回路１と、３つの負荷回路２（２１〜２３）と、３つの電流制御回路３（３１〜３３）と、差動増幅器５０〜５３と、抵抗Ｒａ，Ｒｂとを主に備える。
【００１４】
電源回路１は、直流電源回路Ｅ０から一対の入力端１１，１２に直流の入力電圧Ｖｉを入力され、入力電圧Ｖｉを直流の出力電圧Ｖｏ１に変換して、一対の出力端１３，１４から出力電圧Ｖｏ１を出力する。出力端１３と出力端１４との間の出力電圧Ｖｏ１はフィードバック制御されており、電源回路１は、出力電圧Ｖｏ１が所望の値（目標値）に一致するように電圧制御（フィードバック制御）を行う。入力端１１は入力電圧Ｖｉの高電位側となり、入力端１２は入力電圧Ｖｉの低電位側となる。また、出力端１３は出力電圧Ｖｏ１の高電位側となり、出力端１４は出力電圧Ｖｏ１の低電位側となる。直流電源回路Ｅ０は、商用電圧を直流の入力電圧Ｖｉに変換して出力するコンバータ、または直流の入力電圧Ｖｉを出力するバッテリで構成される。なお、照明装置１が直流電源回路Ｅ０を備えることは必須ではなく、別の装置が直流電源回路Ｅ０を備えていてもよい。
【００１５】
具体的に、図１の電源回路１は、スイッチング素子Ｑ０、インダクタＬ０、コンデンサＣ０、ダイオードＤ０、スイッチ制御部Ｋ０を備える降圧チョッパ回路で構成されている。一対の入力端１１，１２の間には、スイッチング素子Ｑ０とダイオードＤ０との直列回路が接続されている。スイッチング素子Ｑ０は、Ｎチャネルのエンハンスメント型のＭＯＳＦＥＴ（Metal Oxide Semiconductor Field Effect Transistor）であり、スイッチング素子Ｑ０のドレインは入力端１１に接続し、スイッチング素子Ｑ０のソースはダイオードＤ０のカソードに接続する。ダイオードＤ０のアノードは入力端１２に接続する。さらに、ダイオードＤ０の両端間には、インダクタＬ０とコンデンサＣ０との直列回路が接続されている。インダクタＬ０の一端は、ダイオードＤ０のカソード（スイッチング素子Ｑ１のソース）に接続し、インダクタＬ０の他端は、コンデンサＣ０の一端（正極）に接続する。コンデンサＣ０の他端（負極）は、ダイオードＤ０のアノードに接続する。
【００１６】
スイッチ制御部Ｋ０は、スイッチング素子Ｑ０のゲートに接続し、スイッチング素子Ｑ０のゲートに駆動信号（ゲート電圧）を出力して、スイッチング素子Ｑ０をオンオフ（スイッチング）させる。そして、スイッチ制御部Ｋ０は、スイッチング素子Ｑ０をオンオフさせることによって、入力電圧Ｖｉを降圧した出力電圧Ｖｏ１をコンデンサＣ０の両端間に発生させる。なお、本実施形態において、出力電圧Ｖｏ１の値は３０Ｖである。
【００１７】
スイッチ制御部Ｋ０は、コンピュータシステムと、トランジスタＱ０のドライブ回路とを備えている。ドライブ回路は、コンピュータシステムからの指示に従ってトランジスタＱ０をオンオフ駆動する。コンピュータシステムは、ハードウェアとしてのプロセッサ及びメモリを主構成とする。メモリに記録されたプログラムをプロセッサが実行することによって、スイッチ制御部Ｋ０の機能が実現される。プログラムは、コンピュータシステムのメモリに予め記録されていてもよいが、電気通信回線を通じて提供されてもよいし、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００１８】
また、電源回路１は、降圧チョッパ回路以外で構成されてもよく、例えば昇圧チョッパ回路、昇降圧チョッパ回路のいずれであってもよい。さらに、電源回路１が昇降圧チョッパ回路で構成される場合、具体的な回路構成として、ＳＥＰＩＣ回路、ＣＵＫ回路、ＺＥＴＡ回路のいずれかが用いられることが好ましい。
【００１９】
電源回路１の出力端１３，１４の間には、複数の負荷回路２が電気的に接続している。図１の照明装置Ａ１は、３つの負荷回路２（２１〜２３）、３つの電流制御回路３（３１〜３３）を備えている。以降、３つの負荷回路２を互いに区別する場合、３つの負荷回路２を負荷回路２１，２２，２３とそれぞれ呼ぶ。また、３つの電流制御回路３を互いに区別する場合、３つの電流制御回路３を電流制御回路３１，３２，３３とそれぞれ呼ぶ。
【００２０】
負荷回路２１は、電源回路１の出力端１３，１４の間に接続されている。負荷回路２１は、光源２１ａと電流調整回路２１ｂとの直列回路を有する。
【００２１】
光源２１ａは、複数のＬＥＤ（Light Emitting Diode）２１０が直列接続されたＬＥＤアレイを有している。光源２１ａは、並列接続された複数のＬＥＤアレイを有していてもよい。ここで、光源２１ａの一端には、ＬＥＤアレイの一端のＬＥＤ２１０のアノードが接続しており、光源２１ａの一端をアノード側と呼ぶ。また、光源２１ａの他端には、ＬＥＤアレイの他端のＬＥＤ２１０のカソードが接続しており、光源２１ａの他端をカソード側と呼ぶ。そして、光源２１ａのアノード側は、電源回路１の出力端１３に接続されている。
【００２２】
電流調整回路２１ｂは、スイッチング素子Ｑ１と、検出抵抗Ｒ１１とを備えており、スイッチング素子Ｑ１と検出抵抗Ｒ１１との直列回路で構成されている。スイッチング素子Ｑ１は、Ｎチャネルのエンハンスメント型のＭＯＳＦＥＴであり、スイッチング素子Ｑ１のドレインは、光源２１ａのカソード側に接続されている。スイッチング素子Ｑ１のソースは、検出抵抗Ｒ１１の一端に接続している。検出抵抗Ｒ１１の他端は、電源回路１の出力端１４に接続している。すなわち、電源回路１の出力端１３，１４の間には、光源２１ａと電流調整回路２１ｂとの直列回路が電気的に接続している。言い換えると、電源回路１の出力端１３，１４の間には、光源２１ａとスイッチング素子Ｑ１と検出抵抗Ｒ１１との直列回路が接続している。そして、電流調整回路２１ｂは、スイッチング素子Ｑ１による電圧降下（スイッチング素子Ｑ１のドレイン−ソース間電圧）を電流制御回路３１によって制御されることで、光源２１ａに流れる負荷電流Ｉｏ１を調整できる。
【００２３】
電流制御回路３１は、オペアンプＯＰ１と、抵抗Ｒ１２，Ｒ１３とを備える。抵抗Ｒ１２の一端は、スイッチング素子Ｑ１のソースに接続し、抵抗Ｒ１２の他端は、オペアンプＯＰ１の−側入力端子に電気的に接続している。すなわち、スイッチング素子Ｑ１のソースと検出抵抗Ｒ１１との接続点は、抵抗Ｒ１２を介してオペアンプＯＰ１の−側入力端子に接続している。また、オペアンプＯＰ１の＋側入力端子には、調光基準電圧Ｖｔ１が入力される。また、オペアンプＯＰ１の出力端子と−側入力端子との間には、抵抗Ｒ１３が接続されている。さらに、オペアンプＯＰ１の出力端子は、スイッチング素子Ｑ１のゲートに接続している。そして、電流制御回路３１は、調光基準電圧Ｖｔ１に応じてスイッチング素子Ｑ１のゲート電圧を制御することで、スイッチング素子Ｑ１と検出抵抗Ｒ１１との直列回路に流れる電流（負荷電流Ｉｏ１）を調節できる。
【００２４】
次に、負荷回路２２は、電源回路１の出力端１３，１４の間に接続されている。負荷回路２２は、インピーダンス素子４１と光源２２ａと電流調整回路２２ｂとの直列回路を有する。インピーダンス素子４１の一端は出力端１３に接続し、インピーダンス素子４１の他端は光源２２ａの一端に接続し、光源２２ａの他端は電流調整回路２２ｂの一端に接続し、電流調整回路２２ｂの他端は、出力端１４に接続している。
【００２５】
インピーダンス素子４１は、複数のダイオード４１０が直列接続された２つのダイオードアレイを有している。ここで、インピーダンス素子４１の一端には、ＬＥＤアレイの一端のダイオード４１０のアノードが接続しており、インピーダンス素子４１の一端をアノード側と呼ぶ。また、インピーダンス素子４１の他端には、ダイオードアレイの他端のダイオード４１０のカソードが接続しており、インピーダンス素子４１の他端をカソード側と呼ぶ。
【００２６】
光源２２ａは、複数のＬＥＤ２２０が直列接続されたＬＥＤアレイを有している。光源２２ａは、並列接続された複数のＬＥＤアレイを有していてもよい。上述の光源２１ａと同様に、光源２２ａの一端をアノード側と呼び、光源２２ａの他端をカソード側と呼ぶ。
【００２７】
電流調整回路２２ｂは、スイッチング素子Ｑ２と、検出抵抗Ｒ２１とを備えており、スイッチング素子Ｑ２と検出抵抗Ｒ２１との直列回路で構成されている。スイッチング素子Ｑ２は、Ｎチャネルのエンハンスメント型のＭＯＳＦＥＴであり、スイッチング素子Ｑ２のドレインは、光源２２ａのカソード側に接続されている。スイッチング素子Ｑ２のソースは、検出抵抗Ｒ２１の一端に接続している。検出抵抗Ｒ２１の他端は、電源回路１の出力端１４に接続している。すなわち、電源回路１の出力端１３，１４の間には、インピーダンス素子４１と光源２２ａと電流調整回路２２ｂとの直列回路が電気的に接続している。言い換えると、電源回路１の出力端１３，１４の間には、インピーダンス素子４１と光源２２ａとスイッチング素子Ｑ２と検出抵抗Ｒ２１との直列回路が接続している。そして、電流調整回路２２ｂは、スイッチング素子Ｑ２による電圧降下（スイッチング素子Ｑ２のドレイン−ソース間電圧）を電流制御回路３２によって制御されることで、光源２２ａに流れる負荷電流Ｉｏ２を調整できる。
【００２８】
電流制御回路３２は、オペアンプＯＰ２と、抵抗Ｒ２２，Ｒ２３とを備える。電流制御回路３２のオペアンプＯＰ２、抵抗Ｒ２２，Ｒ２３、及び調光基準電圧Ｖｔ２は、上述の電流制御回路３１のオペアンプＯＰ１、抵抗Ｒ１２，Ｒ１３、及び調光基準電圧Ｖｔ１に対応する。したがって、電流制御回路３２は、調光基準電圧Ｖｔ２に応じてスイッチング素子Ｑ２のゲート電圧を制御することで、スイッチング素子Ｑ２と検出抵抗Ｒ２１との直列回路に流れる電流（負荷電流Ｉｏ２）を調節できる。
【００２９】
次に、負荷回路２３は、電源回路１の出力端１３，１４の間に接続されている。負荷回路２３は、インピーダンス素子４１、４２と光源２３ａと電流調整回路２３ｂとの直列回路を有する。インピーダンス素子４１の一端は出力端１３に接続し、インピーダンス素子４１の他端はインピーダンス素子４２の一端に接続する。さらに、インピーダンス素子４２の他端は光源２３ａの一端に接続し、光源２３ａの他端は電流調整回路２３ｂの一端に接続し、電流調整回路２３ｂの他端は、出力端１４に接続している。
【００３０】
インピーダンス素子４２は、複数のダイオード４２０が直列接続されたダイオードアレイを有している。インピーダンス素子４２は、１つのダイオードアレイを有している。なお、上述のインピーダンス素子４１と同様に、インピーダンス素子４２の一端をアノード側と呼び、インピーダンス素子４２の他端をカソード側と呼ぶ。
【００３１】
光源２３ａは、複数のＬＥＤ２３０が直列接続されたＬＥＤアレイを有している。光源２３ａは、並列接続された複数のＬＥＤアレイを有していてもよい。上述の光源２１ａと同様に、光源２３ａの一端をアノード側と呼び、光源２３ａの他端をカソード側と呼ぶ。
【００３２】
電流調整回路２３ｂは、スイッチング素子Ｑ３と、検出抵抗Ｒ３１とを備えており、スイッチング素子Ｑ３と検出抵抗Ｒ３１との直列回路で構成されている。スイッチング素子Ｑ３は、Ｎチャネルのエンハンスメント型のＭＯＳＦＥＴであり、スイッチング素子Ｑ３のドレインは、光源２３ａのカソード側に接続されている。スイッチング素子Ｑ３のソースは、検出抵抗Ｒ３１の一端に接続している。検出抵抗Ｒ３１の他端は、電源回路１の出力端１４に接続している。すなわち、電源回路１の出力端１３，１４の間には、インピーダンス素子４１、４２と光源２３ａと電流調整回路２３ｂとの直列回路が電気的に接続している。言い換えると、電源回路１の出力端１３，１４の間には、インピーダンス素子４１、４２と光源２３ａとスイッチング素子Ｑ３と検出抵抗Ｒ３１との直列回路が接続している。そして、電流調整回路２３ｂは、スイッチング素子Ｑ３による電圧降下（スイッチング素子Ｑ３のドレイン−ソース間電圧）を電流制御回路３３によって制御されることで、光源２３ａに流れる負荷電流Ｉｏ３を調整できる。
【００３３】
電流制御回路３３は、オペアンプＯＰ３と、抵抗Ｒ３２，Ｒ３３とを備える。電流制御回路３３のオペアンプＯＰ３、抵抗Ｒ３２，Ｒ３３、及び調光基準電圧Ｖｔ３は、上述の電流制御回路３１のオペアンプＯＰ１、抵抗Ｒ１２，Ｒ１３、及び調光基準電圧Ｖｔ１に対応する。したがって、電流制御回路３３は、調光基準電圧Ｖｔ３に応じてスイッチング素子Ｑ３のゲート電圧を制御することで、スイッチング素子Ｑ３と検出抵抗Ｒ３１との直列回路に流れる電流（負荷電流Ｉｏ３）を調節できる。
【００３４】
上述のＬＥＤ２１０の発光色，ＬＥＤ２２０の発光色，ＬＥＤ２３０の発光色は、互いに異なる。すなわち、光源２１ａの発光色，光源２２ａの発光色，光源２３ａの発光色は互いに異なる。光源２１ａ，２２ａ，２３ａの各発光色は、例えば赤、緑、青、白などのいずれかである。そして、照明装置Ａ１は、光源２１ａ，２２ａ，２３ａを個別に調光することで、光源２１ａ，２２ａ，２３ａの各発光を混ぜ合わせた混色光の調色を行うことができる。
【００３５】
具体的に、図２に示す信号処理部６が、調光基準電圧Ｖｔ１，Ｖｔ２，Ｖｔ３（第１目標値）を生成し、調光基準電圧Ｖｔ１，Ｖｔ２，Ｖｔ３の各値を増減させる。信号処理部６は、照明装置Ａ１に含まれる構成要素であってもよいし、照明装置Ａ１に含まれない構成要素（他の装置の構成要素）であってもよい。
【００３６】
まず、外部のコントローラが、照明装置Ａ１に要求される制御内容に応じて、ＤＭＸ５１２などの指示信号（ＤＭＸ信号）Ｙ１を信号処理部６へ送信する。信号処理部６は、外部のコントローラから指示信号Ｙ１を入力端子にて受け取る。指示信号Ｙ１は、光源２１ａ，２２ａ，２３ａの各調光レベルを指示する信号である。光源２１ａ，２２ａ，２３ａは、それぞれに指示された調光レベルが高いほど明るくなる。一方、光源２１ａ，２２ａ，２３ａは、それぞれに指示された調光レベルが低いほど暗くなる。そして、光源２１ａ，２２ａ，２３ａの混色光が要求される色になるように、光源２１ａ，２２ａ，２３ａの各調光レベルは個別に指示される。
【００３７】
そして、信号処理部６は、指示信号Ｙ１によって指示される光源２１ａ，２２ａ，２３ａの各調光レベルに基づいて、光源２１ａ，２２ａ，２３ａにそれぞれ対応する調光基準電圧Ｖｔ１，Ｖｔ２，Ｖｔ３を生成する。調光基準電圧Ｖｔ１，Ｖｔ２，Ｖｔ３の各値は、調光レベルが高いほど大きくなり、調光レベルが低いほど小さくなる。調光基準電圧Ｖｔ１，Ｖｔ２，Ｖｔ３は、オペアンプＯＰ１，ＯＰ２，ＯＰ３の＋側入力端子にそれぞれ入力される。
【００３８】
以下に、光源２１ａの調光制御について説明する。
【００３９】
オペアンプＯＰ１の＋側入力端子には調光基準電圧Ｖｔ１が入力されている。そして、オペアンプＯＰ１は、イマジナリショート（Imaginary Short）の作用によって、オペアンプＯＰ１の−側入力端子の電位も調光基準電圧Ｖｔ１に等しくなるように出力電圧を調整する。つまり、スイッチング素子Ｑ１のドレイン電流は負荷電流Ｉｏ１であり、検出抵抗Ｒ１１の抵抗値を［Ｒ１１］とすると、Ｖｔ１＝Ｉｏ１×［Ｒ１１］となるように、オペアンプＯＰ１は出力電圧を調整する。
【００４０】
そして、オペアンプＯＰ１の出力電圧はスイッチング素子Ｑ１のゲートに印加されるため、調光基準電圧Ｖｔ１によってスイッチング素子Ｑ１のゲート電圧（ゲート−ソース間電圧）が決まる。スイッチング素子Ｑ１のゲート電圧は、スイッチング素子Ｑ１のゲート−ソース間電圧（Ｖｇｓ）とドレイン電流（Ｉｄ）との対応を示すＶｇｓ−Ｉｄ特性に従って決定される。電流制御回路３１は、スイッチング素子Ｑ１のゲート電圧を調整することで、スイッチング素子Ｑ１のドレイン電流を制御することができる。したがって、信号処理部６が指示信号Ｙ１に応じた調光基準電圧Ｖｔ１を設定することで、検出抵抗Ｒ１１の両端電圧が調光基準電圧Ｖｔ１に一致するようにスイッチング素子Ｑ１のドレイン電流（すなわち、負荷電流Ｉｏ１）が制御されて、光源２１ａの調光レベルが制御される。
【００４１】
また、電流制御回路３２，３３は、上述の電流制御回路３１と同様に、光源２２ａ、２３ａの各調光制御を行う。
【００４２】
まず、信号処理部６が指示信号Ｙ１に応じた調光基準電圧Ｖｔ２を設定する。そして、電流制御回路３２は、検出抵抗Ｒ２１の両端電圧が調光基準電圧Ｖｔ２に一致するようにスイッチング素子Ｑ２のドレイン電流（すなわち、負荷電流Ｉｏ２）を制御して、光源２２ａの調光レベルを制御する。
【００４３】
また、信号処理部６が指示信号Ｙ１に応じた調光基準電圧Ｖｔ３を設定する。そして、電流制御回路３３は、検出抵抗Ｒ３１の両端電圧が調光基準電圧Ｖｔ３に一致するようにスイッチング素子Ｑ３のドレイン電流（すなわち、負荷電流Ｉｏ３）を制御して、光源２３ａの調光レベルを制御する。
【００４４】
本実施形態では、ＬＥＤ２１０、ＬＥＤ２２０、ＬＥＤ２３０の発光色は互いに異なっており、ＬＥＤ２１０、ＬＥＤ２２０、ＬＥＤ２３０の順方向電圧の値も互いに異なる。また、光源２１ａにおけるＬＥＤ２１０の直列接続数、光源２２ａにおけるＬＥＤ２２０の直列接続数、光源２３ａにおけるＬＥＤ２３０の直列接続数も異なることが多い。この結果、光源２１ａの順方向電圧Ｖｆ１，光源２２ａの順方向電圧Ｖｆ２，光源２３ａの順方向電圧Ｖｆ３の各値が互いに異なる。本実施形態では、順方向電圧Ｖｆ１の値を［Ｖｆ１］、順方向電圧Ｖｆ２の値を［Ｖｆ２］、順方向電圧Ｖｆ３の値を［Ｖｆ３］とすると、［Ｖｆ１］＞［Ｖｆ２］＞［Ｖｆ３］の関係になる。なお、以降では、順方向電圧値［Ｖｆ１］、順方向電圧値［Ｖｆ２］、順方向電圧値［Ｖｆ３］と呼ぶ。
【００４５】
すなわち、負荷回路２１が有する光源２１ａの順方向電圧値［Ｖｆ１］は、負荷回路２２，２３がそれぞれ有する光源２２ａ，２３ａの各順方向電圧値［Ｖｆ２］，［Ｖｆ３］よりも高い。この場合、負荷回路２１が第１負荷回路に相当し、負荷回路２２，２３が第２負荷回路にそれぞれ相当する。
【００４６】
そして、光源２１ａ，２２ａ，２３ａをそれぞれ点灯させる場合、電源回路１は、出力電圧Ｖｏ１の値［Ｖｏ１］を各順方向電圧値［Ｖｆ１］，［Ｖｆ２］，［Ｖｆ３］より大きくする必要がある。この場合、出力電圧Ｖｏ１と順方向電圧Ｖｆ１，Ｖｆ２，Ｖｆ３との差分電圧は、スイッチング素子Ｑ１，Ｑ２，Ｑ３の発熱の要因になることがある。特に、出力電圧Ｖｏ１と順方向電圧との差分電圧の値が大きいほど、対応するスイッチング素子の発熱量も大きくなる傾向にある。
【００４７】
しかしながら、照明装置Ａ１の配光及び色混ざりの観点、ＬＥＤ２１０，２２０，２３０を実装する基板における配線の引き回しの観点などから、光源２１ａ，２２ａ，２３ａの各順方向電圧値［Ｖｆ１］，［Ｖｆ２］，［Ｖｆ３］を同一にすることは困難である。
【００４８】
また、ＬＥＤ２１０，２２０，２３０は、周囲温度が上昇すると順方向電圧値［Ｖｆ１］，［Ｖｆ２］，［Ｖｆ３］がそれぞれ下がる傾向となる。すなわち、周囲温度が上昇すると、出力電圧値［Ｖｏ１］と順方向電圧値［Ｖｆ１］，［Ｖｆ２］，［Ｖｆ３］との差分値が増加し、スイッチング素子Ｑ１，Ｑ２，Ｑ３の発熱も増える可能性がある。
【００４９】
そこで、照明装置Ａ１は、インピーダンス素子４１，４２、差動増幅器５１〜５３を備えることで、インピーダンス素子４１，４２、差動増幅器５１〜５３を備えていない場合に比べて、スイッチング素子Ｑ１，Ｑ２，Ｑ３の各発熱量を低減させている。
【００５０】
インピーダンス素子４１は、複数のダイオード４１０を直列接続することで、負荷電流Ｉｏ２，Ｉｏ３による電圧降下Ｖａ１を生じる。電圧降下Ｖａ１の値（電圧降下値）［Ｖａ１］は、順方向電圧値［Ｖｆ１］と順方向電圧値［Ｖｆ２］との差分値（［Ｖｆ１］−［Ｖｆ２］）に一致する（ほぼ一致する）ように設定される。すなわち、インピーダンス素子４１では、［Ｖａ１］が［Ｖｆ１］−［Ｖｆ２］に一致する（ほぼ一致する）ように、ダイオード４１０の順方向電圧、ダイオード４１０の直列接続数などが決められている。なお、インピーダンス素子４１は、負荷電流Ｉｏ２，Ｉｏ３による電圧降下Ｖａ１を生じる素子であればよく、例えば１つ以上のツェナーダイオードを備えていてもよい。
【００５１】
また、インピーダンス素子４２は、複数のダイオード４２０を直列接続することで、負荷電流Ｉｏ３による電圧降下Ｖａ２を生じる。電圧降下Ｖａ２の値（電圧降下値）［Ｖａ２］は、順方向電圧値［Ｖｆ２］と順方向電圧値［Ｖｆ３］との差分値（［Ｖｆ２］−［Ｖｆ３］）に一致する（ほぼ一致する）ように設定される。すなわち、インピーダンス素子４２では、［Ｖａ２］が［Ｖｆ２］−［Ｖｆ３］に一致する（ほぼ一致する）ように、ダイオード４２０の順方向電圧、ダイオード４２０の直列接続数などが決められている。なお、インピーダンス素子４２は、負荷電流Ｉｏ３による電圧降下Ｖａ２を生じる素子であればよく、例えば１つ以上のツェナーダイオードを備えていてもよい。
【００５２】
次に、差動増幅器５１〜５３によるフィードバック動作について説明する。
【００５３】
スイッチング素子Ｑ１のドレイン電圧（光源２１ａのカソード側の電圧）を監視電圧Ｖｓ１とすると、差動増幅器５１は、監視電圧Ｖｓ１とＦＢ基準電圧Ｖｂ１との差分を表す電圧信号を、誤差信号Ｙ１１として出力する。なお、監視電圧Ｖｓ１は、出力電圧Ｖｏ１から順方向電圧Ｖｆ１を差し引いた電圧に相当する。本実施形態において、ＦＢ基準電圧Ｖｂ１の値（ＦＢ基準電圧値）［Ｖｂ１］は、３Ｖ（または３Ｖ程度）に設定される。
【００５４】
なお、ＦＢ基準電圧Ｖｂ１の値（ＦＢ基準電圧値）［Ｖｂ１］は、調光基準電圧Ｖｔ１の上限値にスイッチング素子Ｑ１のオン電圧値（またはオン電圧値よりわずかに大きい電圧値）が加算された値に設定されることが好ましい。すなわち、ＦＢ基準電圧値［Ｖｂ１］は、光源２１ａを全調光範囲で点灯可能な値のうち、最小値であることが好ましい。
【００５５】
また、スイッチング素子Ｑ２のドレイン電圧（光源２２ａのカソード側の電圧）を監視電圧Ｖｓ２とすると、差動増幅器５２は、監視電圧Ｖｓ２とＦＢ基準電圧Ｖｂ２との差分を表す電圧信号を、誤差信号Ｙ１２として出力する。なお、監視電圧Ｖｓ２は、出力電圧Ｖｏ１から電圧降下Ｖａ１及び順方向電圧Ｖｆ２を差し引いた電圧に相当する。また、ＦＢ基準電圧Ｖｂ２の値（ＦＢ基準電圧値）［Ｖｂ２］は、ＦＢ基準電圧値［Ｖｂ１］に電圧降下値［Ｖａ１］を加算した値である。
【００５６】
スイッチング素子Ｑ３のドレイン電圧（光源２３ａのカソード側の電圧）を監視電圧Ｖｓ３とすると、差動増幅器５３は、監視電圧Ｖｓ３とＦＢ基準電圧Ｖｂ３との差分を表す電圧信号を、誤差信号Ｙ１３として出力する。なお、監視電圧Ｖｓ３は、出力電圧Ｖｏ１から電圧降下Ｖａ１，Ｖａ２、及び順方向電圧Ｖｆ３を差し引いた電圧に相当する。また、ＦＢ基準電圧Ｖｂ３の値（ＦＢ基準電圧値）［Ｖｂ３］は、ＦＢ基準電圧値［Ｖｂ１］に電圧降下値［Ｖａ１］及び電圧降下値［Ｖａ２］を加算した値である。
【００５７】
そして、電源回路１のスイッチ制御部Ｋ０は、誤差信号Ｙ１１，Ｙ１２，Ｙ１３のうちいずれか１つを対象誤差信号とし、対象誤差信号の電圧値が０になるように、スイッチング素子Ｑ０をオンオフさせる。すなわち、出力電圧値［Ｖｏ１］は、対象誤差信号が０になるように調整される。
【００５８】
具体的に、スイッチ制御部Ｋ０は、調光基準電圧Ｖｔ１，Ｖｔ２，Ｖｔ３と、誤差信号Ｙ１１，Ｙ１２，Ｙ１３との対応関係のデータを予め記憶している。また、スイッチ制御部Ｋ０は、調光基準電圧Ｖｔ１，Ｖｔ２，Ｖｔ３と、負荷回路２１，２２，２３（光源２１ａ，２２ａ，２３ａ、電流調整回路２１ｂ，２２ｂ，２３ｂ）との対応関係のデータを予め記憶している。
【００５９】
さらに、スイッチ制御部Ｋ０は、光源２１ａ，２２ａ，２３ａの各順方向電圧Ｖｆ１，Ｖｆ２，Ｖｆ３の大小関係のデータも予め記憶している。または、スイッチ制御部Ｋ０は、誤差信号Ｙ１１，Ｙ１２，Ｙ１３の優先順位のデータとして、優先順位１：Ｙ１１、優先順位２：Ｙ１２、優先順位３：Ｙ１３を表すデータを予め記憶していてもよい。
【００６０】
そして、スイッチ制御部Ｋ０は識別回路１５を有している。識別回路１５は、調光基準電圧Ｖｔ１，Ｖｔ２，Ｖｔ３を入力されて、調光基準電圧Ｖｔ１，Ｖｔ２，Ｖｔ３の各値を所定電圧値と比較する。
【００６１】
調光基準電圧（Ｖｔ１，Ｖｔ２，Ｖｔ３）の値が所定電圧値より大きい場合、調光基準電圧（Ｖｔ１，Ｖｔ２，Ｖｔ３）は、対応する光源（２１ａ，２２ａ，２３ａ）の点灯を指示している。そこで、識別回路１５は、所定電圧値より大きい値の調光基準電圧（Ｖｔ１，Ｖｔ２，Ｖｔ３）に対応する光源（２１ａ，２２ａ，２３ａ）を、点灯を指示されている光源として識別する。一方、調光基準電圧（Ｖｔ１，Ｖｔ２，Ｖｔ３）の値が所定電圧値以下である場合、調光基準電圧（Ｖｔ１，Ｖｔ２，Ｖｔ３）は、対応する光源（２１ａ，２２ａ，２３ａ）の消灯を指示している。そこで、識別回路１５は、所定電圧値以下の値の調光基準電圧（Ｖｔ１，Ｖｔ２，Ｖｔ３）に対応する光源（２１ａ，２２ａ，２３ａ）を、消灯を指示されている光源として識別する。
【００６２】
そして、スイッチ制御部Ｋ０は、点灯を指示されている光源のうち、順方向電圧（Ｖｆ１，Ｖｆ２，Ｖｆ３）が最も高い（点灯時の両端電圧が最も高い）光源を有する負荷回路を対象負荷回路とし、対象負荷回路に対応する誤差信号を対象誤差信号とする。
【００６３】
（第１具体例：光源２１ａ，２２ａ，２３ａが点灯を指示されている場合）
例えば、スイッチ制御部Ｋ０は、光源２１ａ，２２ａ，２３ａが点灯を指示されている場合、光源２１ａを有する負荷回路２１を対象負荷回路２１とする。そして、スイッチ制御部Ｋ０は、対象負荷回路２１に対応する誤差信号Ｙ１１を対象誤差信号Ｙ１１として、対象誤差信号Ｙ１１の電圧値が０になるように、スイッチング素子Ｑ０をオンオフさせる。すなわち、監視電圧Ｖｓ１の値（監視電圧値）［Ｖｓ１］は、ＦＢ基準電圧値［Ｖｂ１］になる。この場合、出力電圧値［Ｖｏ１］は、以下の式１のように表される。
［Ｖｏ１］＝［Ｖｆ１］＋［Ｖｂ１］                            ………  式１
したがって、負荷電流Ｉｏ１が流れて、光源２１ａは点灯する。しかし、スイッチング素子Ｑ１の両端電圧は、光源２１ａを点灯可能な範囲で比較的小さくなり、スイッチング素子Ｑ１の電力損失も比較的小さくなる。したがって、スイッチング素子Ｑ１の発熱は比較的少なくなる。
【００６４】
このとき、光源２２ａのアノード側の直流電圧Ｖｏ２の値（直流電圧値）［Ｖｏ２］は、以下の式２のように表される。
［Ｖｏ２］＝［Ｖｏ１］−［Ｖａ１］
＝（［Ｖｆ１］＋［Ｖｂ１］）−（［Ｖｆ１］−［Ｖｆ２］）
＝（［Ｖｆ２］＋［Ｖｂ１］）                          ………  式２
したがって、負荷電流Ｉｏ２が流れて、光源２２ａは点灯する。また、監視電圧Ｖｓ２の値（監視電圧値）［Ｖｓ２］は、ＦＢ基準電圧値［Ｖｂ１］になる。この場合、スイッチング素子Ｑ２の両端電圧は、光源２２ａを点灯可能な範囲で比較的小さくなり、スイッチング素子Ｑ２の電力損失も比較的小さくなる。したがって、スイッチング素子Ｑ２の発熱は比較的少なくなる。
【００６５】
また、光源２３ａのアノード側の直流電圧Ｖｏ３の値（直流電圧値）［Ｖｏ３］は、以下の式３のように表される。
［Ｖｏ３］＝［Ｖｏ２］−［Ｖａ２］
＝（［Ｖｆ２］＋［Ｖｂ１］）−（［Ｖｆ２］−［Ｖｆ３］）
＝（［Ｖｆ３］＋［Ｖｂ１］）                          ………  式３
したがって、負荷電流Ｉｏ３が流れて、光源２３ａは点灯する。また、監視電圧Ｖｓ３の値（監視電圧値）［Ｖｓ３］は、ＦＢ基準電圧値［Ｖｂ１］になる。この場合、スイッチング素子Ｑ３の両端電圧は、光源２３ａを点灯可能な範囲で比較的小さくなり、スイッチング素子Ｑ３の電力損失も比較的小さくなる。したがって、スイッチング素子Ｑ３の発熱は比較的少なくなる。
【００６６】
（第２具体例：光源２１ａが消灯を指示され、光源２２ａ，２３ａが点灯を指示されている場合）
スイッチ制御部Ｋ０は、光源２１ａが消灯を指示されており、光源２２ａ，２３ａが点灯を指示されている場合、光源２２ａを有する負荷回路２２を対象負荷回路２２とする。光源２１ａは消灯を指示されているので、スイッチング素子Ｑ１はオフ状態を維持しており、負荷電流Ｉｏ１の値は「０」である。そして、スイッチ制御部Ｋ０は、対象負荷回路２２に対応する誤差信号Ｙ１２を対象誤差信号Ｙ１２として、対象誤差信号Ｙ１２の電圧値が０になるように、スイッチング素子Ｑ０をオンオフさせる。すなわち、監視電圧値［Ｖｓ２］は、ＦＢ基準電圧値［Ｖｂ２］になる。この場合、出力電圧値［Ｖｏ１］は、以下の式４のように表される。
［Ｖｏ１］＝［Ｖａ１］＋［Ｖｆ２］＋［Ｖｂ２］                ………  式４
そして、直流電圧値［Ｖｏ２］は、以下の式５のように表される。
［Ｖｏ２］＝［Ｖｏ１］−［Ｖａ１］
＝（［Ｖａ１］＋［Ｖｆ２］＋［Ｖｂ２］）−［Ｖａ１］
＝（［Ｖｆ２］＋［Ｖｂ２］）                          ………  式５
したがって、負荷電流Ｉｏ２が流れて、光源２２ａは点灯する。また、監視電圧値［Ｖｓ２］は、ＦＢ基準電圧値［Ｖｂ２］になる。この場合、スイッチング素子Ｑ２の両端電圧は、光源２２ａを点灯可能な範囲で比較的小さくなり、スイッチング素子Ｑ２の電力損失も比較的小さくなる。したがって、スイッチング素子Ｑ２の発熱は比較的少なくなる。
【００６７】
また、直流電圧値［Ｖｏ３］は、以下の式６のように表される。
［Ｖｏ３］＝［Ｖｏ２］−［Ｖａ２］
＝（［Ｖｆ２］＋［Ｖｂ２］）−（［Ｖｆ２］−［Ｖｆ３］）
＝（［Ｖｆ３］＋［Ｖｂ２］）                          ………  式６
したがって、負荷電流Ｉｏ３が流れて、光源２３ａは点灯する。また、監視電圧値［Ｖｓ３］は、ＦＢ基準電圧値［Ｖｂ２］になる。この場合、スイッチング素子Ｑ３の両端電圧は、光源２３ａを点灯可能な範囲で比較的小さくなり、スイッチング素子Ｑ３の電力損失も比較的小さくなる。したがって、スイッチング素子Ｑ３の発熱は比較的少なくなる。
【００６８】
（第３具体例：光源２１ａ，２２ａが消灯を指示され、光源２３ａが点灯を指示されている場合）
スイッチ制御部Ｋ０は、光源２１ａ，２２ａが消灯を指示され、光源２３ａが点灯を指示されている場合、光源２３ａを有する負荷回路２３を対象負荷回路２３とする。光源２１ａ，２２ａは消灯を指示されているので、スイッチング素子Ｑ１，Ｑ２はオフ状態を維持しており、負荷電流Ｉｏ１，Ｉｏ２の値はそれぞれ「０」である。そして、スイッチ制御部Ｋ０は、対象負荷回路２３に対応する誤差信号Ｙ１３を対象誤差信号Ｙ１３として、対象誤差信号Ｙ１３の電圧値が０になるように、スイッチング素子Ｑ０をオンオフさせる。すなわち、監視電圧値［Ｖｓ３］は、ＦＢ基準電圧値［Ｖｂ３］になる。この場合、出力電圧値［Ｖｏ１］は、以下の式７のように表される。
［Ｖｏ１］＝［Ｖａ１］＋［Ｖａ２］＋［Ｖｆ３］＋［Ｖｂ３］    ………  式７
そして、直流電圧値［Ｖｏ２］は、以下の式８のように表される。
［Ｖｏ２］＝［Ｖｏ１］−［Ｖａ１］
＝（［Ｖａ１］＋［Ｖａ２］＋［Ｖｆ３］＋［Ｖｂ３］）−［Ｖａ１］
＝（［Ｖａ２］＋［Ｖｆ３］＋［Ｖｂ３］）              ………  式８
さらに、直流電圧値［Ｖｏ３］は、以下の式９のように表される。
［Ｖｏ３］＝［Ｖｏ２］−［Ｖａ２］
＝（［Ｖａ２］＋［Ｖｆ３］＋［Ｖｂ３］）−［Ｖａ２］
＝（［Ｖｆ３］＋［Ｖｂ３］）                          ………  式９
したがって、負荷電流Ｉｏ３が流れて、光源２３ａは点灯する。また、監視電圧値［Ｖｓ３］は、ＦＢ基準電圧値［Ｖｂ３］になる。この場合、スイッチング素子Ｑ３の両端電圧は、光源２３ａを点灯可能な範囲で比較的小さくなり、スイッチング素子Ｑ３の電力損失も比較的小さくなる。したがって、スイッチング素子Ｑ３の発熱は比較的少なくなる。
【００６９】
なお、上述の第１具体例１〜第３具体例以外であっても、光源２１ａ，２２ａ，２３ａのうち少なくとも１つが点灯する場合、スイッチ制御部Ｋ０は、上記同様に対象負荷回路を選択し、対象負荷回路に対応する誤差信号を対象誤差信号とする。
【００７０】
このように、光源２１ａ，２２ａ，２３ａの各順方向電圧Ｖｆ１，Ｖｆ２，Ｖｆ３に電圧差がある場合でも、インピーダンス素子４１，４２によって、光源２１ａ，２２ａ，２３ａの電圧差を吸収できる。したがって、照明装置Ａ１は、スイッチング素子Ｑ１，Ｑ２，Ｑ３の発熱をより抑えることができるので、スイッチング素子Ｑ１，Ｑ２，Ｑ３の放熱構造を簡略化できる。
【００７１】
（第４具体例：光源２１ａ，２２ａ，２３ａが消灯を指示されている場合）
次に、光源２１ａ，２２ａ，２３ａのそれぞれが消灯する場合（すなわち、照明装置Ａ１が全消灯する場合）の動作について説明する。照明装置Ａ１が全消灯する場合、スイッチング素子Ｑ１，Ｑ２，Ｑ３は、それぞれオフ状態を維持する。全消灯時に負荷回路２１を対象負荷回路２１とすると、出力電圧値［Ｖｏ１］は、ＦＢ基準電圧値［Ｖｂ１］になるように調整される。また、全消灯時に負荷回路２２を対象負荷回路２２とすると、出力電圧値［Ｖｏ１］は、ＦＢ基準電圧値［Ｖｂ２］になるように調整される。また、全消灯時に負荷回路２３を対象負荷回路２３とすると、出力電圧値［Ｖｏ１］は、ＦＢ基準電圧値［Ｖｂ３］になるように調整される。そして、全消灯状態の照明装置Ａ１が光源２１ａ，２２ａ，２３ａの少なくとも１つを消灯状態から点灯状態に移行させる場合、光源の順方向電圧が光源の点灯開始電圧以上になるまで出力電圧値［Ｖｏ１］を上昇させるフェードイン動作に時間がかかる。この結果、全消灯状態からのフェードイン動作に違和感が生じる。
【００７２】
そこで、照明装置Ａ１は、抵抗Ｒａ，Ｒｂの直列回路、及び差動増幅器５０を備える。抵抗Ｒａ，Ｒｂの直列回路は、出力端１３と出力端１４との間に接続されており、抵抗Ｒａの一端が出力端１３に接続され、抵抗Ｒｂの一端が出力端１４に接続されている。そして、抵抗Ｒａ，Ｒｂの直列回路によって出力電圧Ｖｏ１が分圧され、抵抗Ｒｂの両端電圧（出力電圧Ｖｏ１分圧電圧）が、監視電圧Ｖｓ０として差動増幅器５０に入力される。
【００７３】
差動増幅器５０は、監視電圧Ｖｓ０とＦＢ基準電圧Ｖｂ０との差分を表す電圧信号を、誤差信号Ｙ１０として出力する。電源回路１のスイッチ制御部Ｋ０は、誤差信号Ｙ１０を対象誤差信号とし、対象誤差信号Ｙ１０の電圧値が０になるように、スイッチング素子Ｑ０をオンオフさせる。この場合、出力電圧値［Ｖｏ１］が順方向電圧値［Ｖｆ１］以上になるように、ＦＢ基準電圧Ｖｂ０の値（ＦＢ基準電圧値）［Ｖｂ０］は設定されている。
【００７４】
すなわち、全消灯時の出力電圧値［Ｖｏ１］が順方向電圧値［Ｖｆ１］以上に調整される。したがって、全消灯状態の照明装置Ａ１が光源２１ａ，２２ａ，２３ａの少なくとも１つを消灯状態から点灯状態に移行させる場合、光源の順方向電圧が光源の点灯開始電圧以上になるように出力電圧値［Ｖｏ１］を上昇させるのに必要な時間が短縮される。この結果、全消灯状態からのフェードイン動作に違和感が生じにくくなる。
【００７５】
なお、ＦＢ基準電圧値［Ｖｂ１］，［Ｖｂ２］，［Ｖｂ３］は第１目標値に相当し、ＦＢ基準電圧値［Ｖｂ０］は第２目標値に相当する。
【００７６】
また、ＦＢ基準電圧値［Ｖｂ０］は、全消灯時の出力電圧値［Ｖｏ１］が順方向電圧値［Ｖｆ２］または［Ｖｆ３］以上になるように設定されてもよい。
【００７７】
上述のように、照明装置Ａ１は、４つの差動増幅器５０，５１，５２，５３を介した４つのフィードバック経路を備えている。そして、照明装置Ａ１は、光源２１ａ，２２ａ，２３ａの各点灯指示及び各消灯指示に応じて、４つのフィードバック経路のいずれか１つを用いて、出力電圧Ｖｏ１を調整するフィードバック制御を行う。
【００７８】
したがって、照明装置Ａ１は、４つのフィードバック経路のいずれか１つを用いたフィードバック制御（１つのフィードバック制御）によって、電源回路１から光源２１ａ，２２ａ，２３ａにそれぞれ供給される負荷電流Ｉｏ１，Ｉｏ２，Ｉｏ３を制御できる。
【００７９】
さらに、照明装置Ａ１は、スイッチング素子Ｑ１，Ｑ２，Ｑ３での電力損失を低減でき、この結果として電流調整回路２１ｂ，２２ｂ，２３ｂにおける電力損失を低減することができる。
【００８０】
（第１変形例）
図３は、本実施形態の第１変形例の照明装置Ａ２の構成を示す。
【００８１】
照明装置Ａ２の動作時において、光源２１ａ，２２ａ，２３ａがそれぞれ消灯する全消灯状態は発生せず、光源２１ａ，２２ａ，２３ａの少なくとも１つが点灯する。この場合、照明装置Ａ２は、照明装置Ａ１の抵抗Ｒａ，Ｒｂの直列回路、及び差動増幅器５０を備える必要がなく、照明装置Ａ１に比べて構成を簡略化できる。すなわち、照明装置Ａ１では４つのフィードバック経路が必要であったが、照明装置Ａ２では３つのフィードバック経路を備えていればよい。
【００８２】
（第２変形例）
図４は、本実施形態の第２変形例の照明装置Ａ３の構成を示す。
【００８３】
照明装置Ａ３の動作時において、光源２１ａが消灯する状態は発生せず、光源２１ａは常に点灯する。この場合、照明装置Ａ３は、照明装置Ａ２の差動増幅器５２，５３を備える必要がなく、照明装置Ａ１，Ａ２に比べて構成を簡略化できる。すなわち、照明装置Ａ１では４つのフィードバック経路が必要であり、照明装置Ａ２では３つのフィードバック経路が必要であったが、照明装置Ａ３では１つのフィードバック経路を備えていればよい。
【００８４】
また、インピーダンス素子４１は、図４に示すように、１つのダイオードアレイで構成されてもよい。
【００８５】
（照明器具）
次に、図５は、上述の照明装置Ａ１，Ａ２，Ａ３のいずれか１つを備えた照明器具Ｂ１の構成を示す。
【００８６】
照明器具Ｂ１は、テレビ局のスタジオや舞台などの背景壁面（ホリゾント）を照明する用途に用いられる、いわゆる、ホリゾントライトである。
【００８７】
照明器具Ｂ１は、図５に示すように、光源ユニット８と、電源ユニット９とを備えている。なお、以下の説明では、図５において、前後、左右、上下の各方向を規定する。つまり、図５の紙面の左を前、右を後とし、図５の紙面の上を左、下を右とする。
【００８８】
光源ユニット８は、４つのＬＥＤモジュール８０と、第１筐体８１と、反射板ブロック８２と、放熱板ブロック８３とを備えている。各ＬＥＤモジュール８０は、長方形状の基板の表面に光源２１ａ，２２ａ，２３ａ（ＬＥＤ２１０，２２０，２３０）が実装されて構成されている。
【００８９】
第１筐体８１は、金属板によって直方体状に形成されている。第１筐体８１は、前面に矩形の窓孔８１０が開口している。第１筐体８１の内部には、表面を窓孔８１０に対向させるようにして、４つのＬＥＤモジュール８０が縦横２列に並べて収容されている。
【００９０】
反射板ブロック８２は、複数の反射板８２０と、遮光板８２１とを備えている。複数の反射板８２０及び遮光板８２１は、第１筐体８１内において、窓孔８１０と各ＬＥＤモジュール８０の表面との間に配置されており、各ＬＥＤモジュール８０から放射される光の配光を制御するように構成されている。
【００９１】
放熱板ブロック８３は、多数の放熱板８３０を備えている。複数の放熱板８３０は、互いに板厚方向に沿って等間隔に並べて構成されている。放熱板ブロック８３は、第１筐体８１の後面に設けられている。なお、放熱板ブロック８３は、第１筐体８１内において、４つのＬＥＤモジュール８０（の基板）とそれぞれ熱的に結合されることが好ましい。
【００９２】
電源ユニット９は、照明装置Ａ１，Ａ２，Ａ３のいずれか１つを構成する回路ブロック（但し、光源２１ａ，２２ａ，２３ａを除く）を収容する第２筐体９０と、一対のアーム９１とを備えている。
【００９３】
第２筐体９０は、金属板によって扁平な直方体状に形成されており、回路ブロックを内部に収容するように構成されている。一対のアーム９１は、第２筐体９０の左右両端から上向きに立ち上がるように設けられている。一対のアーム９１は、先端（上端）に向かって、前後方向の幅寸法を徐々に狭くするように形成されている。各アーム９１の先端部分には、いわゆるノブボルト９２のボルトが挿通される挿通孔がそれぞれ設けられている。すなわち、一対のアーム９１は、先端部分の挿通孔に挿通されるボルトを、第１筐体８１の左右両側面に設けられる雌ねじにねじ込むことにより、光源ユニット８を回転可能に支持するように構成されている。
【００９４】
次に、照明器具Ｂ１使用状態について説明する。照明器具Ｂ１は、例えば、光源ユニット８の窓孔８１０を背景壁面に向け、かつ、背景壁面から離れた床に設置される。照明器具Ｂ１は、背景壁面の床に近い下部から上部にかけてほぼ均一に照明光を照射することができる。
【００９５】
また、照明器具Ｂ１は、ホリゾントライトには限定されず、他の用途に用いられる照明器具であってもよい。
【００９６】
なお、光源２１ａ，２２ａ，２３ａは、固体発光素子としてＬＥＤ２１０，ＬＥＤ２２０，ＬＥＤ２３０を有する構成に限らない。光源２１ａ，２２ａ，２３ａは、例えば、有機ＥＬ（Organic Electro Luminescence、OEL）、または半導体レーザ（Laser Diode、LD）などの他の固体発光素子を有していてもよい。
【００９７】
また、スイッチング素子Ｑ０，Ｑ１，Ｑ２，Ｑ３は、ＭＯＳＦＥＴに限定されず、Ｊ−ＦＥＴ（Junction Field Effect Transistor）、バイポーラトランジスタなどの他のスイッチング素子（トランジスタ）であってもよい。
【００９８】
（まとめ）
以上のように、実施形態に係る第１の態様の照明装置Ａ１，Ａ２，Ａ３は、電源回路１と、複数の負荷回路２１，２２，２３と、を備える。電源回路１は、一対の出力端１３，１４から直流の出力電圧Ｖｏ１を出力する。複数の負荷回路２１，２２，２３は、一対の出力端１３，１４の間に接続されている。複数の負荷回路２１，２２，２３の各々は、一対の出力端１３，１４の間に接続された光源２１ａ，２２ａ，２３ａと電流調整回路２１ｂ，２２ｂ，２３ｂとの直列回路を有して、電流調整回路２１ｂ，２２ｂ，２３ｂによって光源２１ａ，２２ａ，２３ａに流れる負荷電流Ｉｏ１，Ｉｏ２，Ｉｏ３を調整する。複数の負荷回路２１，２２，２３のうち少なくとも１つの負荷回路２２，２３は、一対の出力端１３，１４の一方と前記直列回路との間に接続されたインピーダンス素子４１，４２を有する。電源回路１は、複数の負荷回路２１，２２，２３のうち１つの負荷回路を対象負荷回路とする。そして、電源回路１は、前記対象負荷回路が有する電流調整回路（２１ｂまたは２２ｂまたは２３ｂ）の両端電圧の値（監視電圧値［Ｖｓ１］または［Ｖｓ２］または［Ｖｓ３］）が目標値（ＦＢ基準電圧値［Ｖｂ１］または［Ｖｂ２］または［Ｖｂ３］）に近付くように出力電圧Ｖｏ１をフィードバック制御する。
【００９９】
上述の照明装置Ａ１，Ａ２，Ａ３は、インピーダンス素子４１，４２によって、電流調整回路２１ｂ，２２ｂ，２３ｂにおける電力損失を低減できる。したがって、照明装置Ａ１，Ａ２，Ａ３は、１つのフィードバック制御によって、１つの電源回路１から複数の光源２１ａ，２２ａ，２３ａにそれぞれ供給される負荷電流Ｉｏ１，Ｉｏ２，Ｉｏ３を制御できる。また、照明装置Ａ１，Ａ２，Ａ３は、電流調整回路２１ｂ，２２ｂ，２３ｂにおける電力損失を低減できる。
【０１００】
さらに、照明装置Ａ１，Ａ２，Ａ３は、電力損失による発熱箇所を、電流調整回路２１ｂ，２２ｂ，２３ｂと、インピーダンス素子４１，４２に分散させることで、放熱板などを有する放熱構造の放熱効率を向上させることが容易になる。
【０１０１】
また、実施形態に係る第２の態様の照明装置Ａ１，Ａ２，Ａ３では、第１の態様において、複数の光源２１ａ，２２ａ，２３ａは、点灯時の順方向電圧値［Ｖｆ１］，［Ｖｆ２］，［Ｖｆ３］（両端電圧の値）が互いに異なる。そして、複数の負荷回路２１，２２，２３のうち、第１負荷回路（負荷回路２１）を除く第２負荷回路（負荷回路２２，２３）は、インピーダンス素子４１，４２を有することが好ましい。第１負荷回路（負荷回路２１）は、複数の光源２１ａ，２２ａ，２３ａのうち点灯時の順方向電圧値が最も高い光源（光源２１ａ）を有する。
【０１０２】
上述の照明装置Ａ１，Ａ２，Ａ３では、複数の光源２１ａ，２２ａ，２３ａの各順方向電圧値［Ｖｆ１］，［Ｖｆ２］，［Ｖｆ３］の差を、インピーダンス素子４１，４２が吸収する。したがって、照明装置Ａ１，Ａ２，Ａ３は、光源２１ａ，２２ａ，２３ａの各発光色が異なり、負荷電流Ｉｏ１，Ｉｏ２，Ｉｏ３を個別に調光して調色制御を行う場合でも、電流調整回路２１ｂ，２２ｂ，２３ｂにおける電力損失を低減できる。
【０１０３】
また、実施形態に係る第３の態様の照明装置Ａ１，Ａ２では、第２の態様において、複数の光源２１ａ，２２ａ，２３ａから点灯を指示されている光源を識別する識別回路１５を備えることが好ましい。そして、電源回路１は、点灯を指示されている光源のうち点灯時の順方向電圧値［Ｖｆ１］，［Ｖｆ２］，［Ｖｆ３］（両端電圧の値）が最も高い光源を有する負荷回路を前記対象負荷回路とする。
【０１０４】
上述の照明装置Ａ１，Ａ２では、複数の光源２１ａ，２２ａ，２３ａのいずれかが消灯した場合でも、電流調整回路２１ｂ，２２ｂ，２３ｂにおける電力損失を低減できる。
【０１０５】
また、実施形態に係る第４の態様の照明装置Ａ１では、第３の態様において、複数の光源２１ａ，２２ａ，２３ａがそれぞれ消灯している場合、電源回路１は、出力電圧値［Ｖｏ１］（出力電圧Ｖｏ１の値）を、複数の光源２１ａ，２２ａ，２３ａの点灯時の順方向電圧値［Ｖｆ１］，［Ｖｆ２］，［Ｖｆ３］（両端電圧の値）のうちの少なくとも１つよりも高い値に制御することが好ましい。
【０１０６】
上述の照明装置Ａ１では、複数の光源２１ａ，２２ａ，２３ａがそれぞれ消灯した全消灯状態から点灯状態に移行する場合に、光源が点灯するまでに必要な時間が短縮される。この結果、全消灯状態からのフェードイン動作に違和感が生じにくくなる。
【０１０７】
また、実施形態に係る第５の態様の照明装置Ａ１では、第４の態様において、照明装置Ａ１は、一対の出力端１３，１４間に接続された２つ以上の抵抗Ｒａ，Ｒｂの直列回路をさらに備える。前記目標値（ＦＢ基準電圧値［Ｖｂ１］または［Ｖｂ２］または［Ｖｂ３］）は、第１目標値である。そして、電源回路１は、複数の光源２１ａ，２２ａ，２３ａがそれぞれ消灯している場合、２つ以上の抵抗Ｒａ，Ｒｂによって分圧された出力電圧値［Ｖｏ１］（出力電圧Ｖｏ１の値）が第２目標値（ＦＢ基準電圧値［Ｖｂ０］）に近付くように出力電圧Ｖｏ１を制御することが好ましい。
【０１０８】
上述の照明装置Ａ１では、ＦＢ基準電圧値［Ｖｂ０］を適宜設定することで、全消灯状態から点灯状態に移行する場合に、光源が点灯するまでに必要な時間を容易に短縮できる。
【０１０９】
また、実施形態に係る第６の態様の照明装置Ａ３では、第２の態様において、前記対象負荷回路は、前記第１負荷回路（負荷回路２１）であることが好ましい。
【０１１０】
上述の照明装置Ａ３では、フィードバック経路を１つにすることができ、構成を簡略化できる。
【０１１１】
また、実施形態に係る第７の態様の照明装置Ａ１，Ａ２，Ａ３では、第１乃至第６の態様のいずれか一つにおいて、電流調整回路２１ｂ，２２ｂ，２３ｂは、光源２１ａ，２２ａ，２３ａに直列接続されるスイッチング素子Ｑ１，Ｑ２，Ｑ３（トランジスタ）と検出抵抗Ｒ１１，Ｒ２１，Ｒ３１（抵抗）との直列回路を有することが好ましい。そして、電流調整回路２１ｂ，２２ｂ，２３ｂは、スイッチング素子Ｑ１，Ｑ２，Ｑ３における電圧降下が制御されることによって、負荷電流Ｉｏ１，Ｉｏ２，Ｉｏ３を調整する。
【０１１２】
上述の照明装置Ａ１，Ａ２，Ａ３は、負荷電流Ｉｏ１，Ｉｏ２，Ｉｏ３をそれぞれ定電流制御することができる。
【０１１３】
また、実施形態に係る第８の態様の照明装置Ａ１，Ａ２，Ａ３では、第１乃至第７の態様のいずれか一つにおいて、光源２１ａ，２２ａ，２３ａは、固体発光素子（ＬＥＤ２１０，２２０，２３０）を有することが好ましい。
【０１１４】
上述の照明装置Ａ１，Ａ２，Ａ３は、１つのフィードバック制御によって、１つの電源回路１から固体発光素子に供給される負荷電流Ｉｏ１，Ｉｏ２，Ｉｏ３を制御でき、かつ電流調整回路２１ｂ，２２ｂ，２３ｂにおける電力損失を低減できる。
【０１１５】
また、実施形態に係る第９の態様の照明器具Ｂ１は、第１乃至第８のいずれか一つの形態の照明装置Ａ１またはＡ２またはＡ３と、照明装置Ａ１またはＡ２またはＡ３を設ける第１筐体８１及び第２筐体９０（筐体）とを備える。
【０１１６】
上述の照明器具Ｂ１は、上述の照明装置Ａ１またはＡ２またはＡ３を備えており、１つのフィードバック制御によって、１つの電源回路１から複数の光源２１ａ，２２ａ，２３ａにそれぞれ供給される負荷電流Ｉｏ１，Ｉｏ２，Ｉｏ３を制御できる。また、照明器具Ｂ１は、電流調整回路２１ｂ，２２ｂ，２３ｂにおける電力損失を低減できる。
【０１１７】
また、上述の実施形態および変形例は本発明の一例である。このため、本発明は、上述の実施形態および変形例に限定されることはなく、この実施形態および変形例以外であっても、本発明に係る技術的思想を逸脱しない範囲であれば、設計等に応じて種々の変更が可能であることは勿論である。
【符号の説明】
【０１１８】
Ａ１，Ａ２，Ａ３  照明装置
Ｂ１  照明器具
１  電源回路
１３，１４  出力端
１５  識別回路
２  負荷回路
２１  負荷回路（第１負荷回路）
２２  負荷回路（第２負荷回路）
２３  負荷回路（第２負荷回路）
２１ａ，２２ａ，２３ａ  光源
２１ｂ，２２ｂ，２３ｂ  電流調整回路
４１，４２  インピーダンス素子
８１  第１筐体（筐体）
９０  第２筐体（筐体）
２１０，２２０，２３０  ＬＥＤ（固体発光素子）
Ｑ１，Ｑ２，Ｑ３  スイッチング素子（トランジスタ）
Ｒａ，Ｒｂ  抵抗
Ｉｏ１，Ｉｏ２，Ｉｏ３  負荷電流
Ｖｏ１  出力電圧
［Ｖｓ１］，［Ｖｓ２］，［Ｖｓ３］  監視電圧値
［Ｖｂ１］，［Ｖｂ２］，［Ｖｂ３］  ＦＢ基準電圧値（目標値）（第１目標値）
［Ｖｂ０］  ＦＢ基準電圧値（第２目標値）
［Ｖｆ１］，［Ｖｆ２］，［Ｖｆ３］  順方向電圧値
【図１】
2019140002.tif 000003
【図２】
2019140002.tif 000004
【図３】
2019140002.tif 000005
【図４】
2019140002.tif 000006
【図５】
2019140002.tif 000007